(57)【要約】　　　（修正有）【課題】成形精度が高く多数個取りが可能なスクリュープレス機用のダイセットを提供する。【解決手段】一組以上の雄ネジと雌ネジをフレーム内で回転させ、雌ネジ側に装着された可動ダイホルダ１にセットされた上型１０と、フレームに固定された固定ダイホルダ２にセットされた下型とに加圧力を発生させて鍛造物を成形するスクリュープレス機用のダイセットについて、その固定ダイホルダ２には、可動ダイホルダ１の下降により可動ダイホルダ１に設けたブッシュ５に内嵌合するガイドピン６を対向位置に植設し、ガイドピン６には、可動ダイホルダ１の下死点で発生する捩り応力に耐えられる先細のテーパ部９を設ける。【選択図】　図１
2004122206.tif 000002
【特許請求の範囲】
【請求項１】
一組以上の雄ネジと雌ネジをフレーム内で回転させ、前記雌ネジ側に装着された可動ダイホルダにセットされた上型と、前記フレームに固定された固定ダイホルダにセットされた下型とに加圧力を発生させて鍛造物を成形するスクリュープレス機用のダイセットであって、前記固定ダイホルダには、前記可動ダイホルダの下降により同可動ダイホルダに設けたブッシュに内嵌合するガイドピンを対向位置に植設し、そのガイドピンには、前記可動ダイホルダの下死点で発生する捩り応力に耐えられる先細のテーパ部を設けたダイセット。
【請求項２】
一組以上の雄ネジと雌ネジをフレーム内で回転させ、前記雌ネジ側に装着された可動ダイホルダにセットされた上型と、前記フレームに固定された固定ダイホルダにセットされた下型とに加圧力を発生させて鍛造物を成形するスクリュープレス機用の金型であって、その下型の少なくとも一本の対角線上の隅部にガイド孔を設け、その上型には前記ガイド孔に整合する位置に同ガイド孔に前記可動ダイホルダの下降により内嵌合するガイドピンを設けたスクリュープレス機用の金型。
【発明の詳細な説明】
【０００１】
【発明の属する技術分野】
本発明は、雄ネジと雌ネジをフレーム内で回転させ、加圧力を発生させるスクリュープレス機に使用するダイセット及びそのダイセットに装着する金型に関するものである。
【０００２】
【従来の技術】
一般に、プレス加工にあっては下型に対して上型を上下動して各種の加工、例えば、曲げ加工、絞り加工、抜き加工、鍛造を行っている（例えば、特許文献１参照。）。
【０００３】
【特許文献１】
特開平７―１５５８４６号公報
【０００４】
【発明が解決しようとする課題】
プレス機において、金型を固定させるダイセットについて、カム方式やクランク方式で上下動させ加圧力を発生させるものの他に、スクリュープレス機と称されるものがある。これは、一組以上の雄ネジと雌ネジをフレーム内で回転させ加圧力を発生させるプレス機であり、鍛造に広く使われている。スクリュープレス機は、下死点においてダイセットの可動ダイホルダに捩り応力が発生するため、従来においてはダイセットを又は金型に下死点で凹凸嵌合させて、可動ダイホルダの上型と固定ダイホルダの下型との整合をはかっている。しかしながら、可動ダイホルダには下動に伴い常に捩り力が加わるため、凹凸嵌合させるには、嵌合いにクリアランスが必要であり、このクリアランスが上型の下死点での下型との整合をずらし、鍛造成形物の成形精度を損なっている。従って、一つの金型で多数の鍛造成形物を一度に作ることができず、生産性が低かった。
【０００５】
本発明は、係る従来の問題点を解決するためになされたものであって、その目的とするところは、成形精度が高く多数個取りが可能なスクリュープレス機用のダイセットを得ることであり、成形精度が高く多数個取りが可能な生産性の良いスクリュープレス機用の金型を得ることである。
【０００６】
【課題を解決するための手段】
前記目的を達成するために本発明は、一組以上の雄ネジと雌ネジをフレーム内で回転させ、雌ネジ側に装着された可動ダイホルダにセットされた上型と、フレームに固定された固定ダイホルダにセットされた下型とに加圧力を発生させて鍛造物を成形するスクリュープレス機用のダイセットについて、その固定ダイホルダには、可動ダイホルダの下降により可動ダイホルダに設けたブッシュに内嵌合するガイドピンを対向位置に植設し、そのガイドピンには、可動ダイホルダの下死点で発生する捩り応力に耐えられる先細のテーパ部を設ける手段を採用する。
【０００７】
また、前記目的を達成するために本発明は、一組以上の雄ネジと雌ネジをフレーム内で回転させ、雌ネジ側に装着された可動ダイホルダにセットされた上型と、フレームに固定された固定ダイホルダにセットされた下型とに加圧力を発生させて鍛造物を成形するスクリュープレス機用の金型について、その下型の少なくとも一本の対角線上の隅部にガイド孔を設け、上型にはガイド孔に整合する位置にガイド孔に可動ダイホルダの下降により内嵌合するガイドピンを設ける手段を採用する。
【０００８】
【発明の実施の形態】
図１〜図６によって示す本実施の形態は、車両用エアコンの膨張弁やルームエアコンの室外機用サービスバルブ等の鍛造部品を成形するスクリュープレス機用のダイセットに関するものである。図１にダイセットの全体を正面図によって示すように、このダイセットは、雄ネジの回転で上下動する可動ダイホルダ１とフレームに固定される固定ダイホルダ２とから構成されている。可動ダイホルダ１は逆凸状の金属ブロックとして構成され、突出部の下面は平面に構成され、突出部には上型を下向きに装着する金型装着部３が穿かれている。可動ダイホルダ１のベース部４の中央には対向位置にブッシュ５が中心の孔を下向きにして固定されている。
【０００９】
固定ダイホルダ２は凸状の金属ブロックとして構成され、突出部の上面は平面に構成され、突出部には下型を上向きに装着する金型装着部３が穿かれている。固定ダイホルダ２のベース部４の中央には対向位置に、可動ダイホルダ１のブッシュ５に内嵌合する特殊鋼材料よりなるガイドピン６が植設されている。このガイドピン６は、図１に示すように可動ダイホルダ１のブッシュ５に内嵌合する先端側の小径部７と基部側の大径部８とを備えており、小径部７と大径部８とは先細のテーパ部９で繋がっている。テーパ部９の先端側は、突出部の上面より僅かに上位になるように設定されている。即ち、可動ダイホルダ１の下死点で発生する雄ネジの回転による捩り応力にテーパ部９で耐え得る構成である。ガイドピン６の小径部７とブッシュ５とは捩りを許容すべく僅かなクリアランスをもって嵌まり、可動ダイホルダ１の下死点においては、テーパ部９にブッシュ５の下端が嵌まり、捩りを抑えて上型１０と下型１１とを偏心させることなく、整合させる。
【００１０】
上型１０と下型１１は、それぞれ金型装着部３に二方向からボルト１２によって締め固定される。固定ダイホルダ２には、図２に断面図で示すように下型１１に装着されるノックアウトピン１３を上動させるピン押上げ板１４と、油圧により上下動するＴ型駒１５とが組込まれていて、Ｔ型駒１５の上動によりピン押上げ板１４を上動させ、ノックアウトピン１３を下型１１の合せ面から突出させ、鍛造成形物を金型のキャビティから抜出させる（図３及び図４参照）。
【００１１】
このダイセットによれば、可動ダイホルダ１の下死点での捩りによるずれが起きないので、多数個取りの金型を使うことができる。金型の上型１０と下型１１には図５及び図６に平面図で示すように二個一組、二組のキャビティ１６が穿たれ、二本の黄銅素材を熱間鍛造と同時に、四個の鍛造部品に分離しながら成形することができる。下型１１の四隅には、ガイド孔１７が設けられ、上型１０の四隅にはガイド孔１７に内嵌合するガイドピン１８が突出して設けられている。ノックアウトピン１３は、下型１１に左右バランス良く装着できるようになっている。前述のダイセットとともにこのガイド孔１７とガイドピン１８を備えた金型を使うことにより、上型１０と下型１１の整合性はさらに高くなり、高精度の鍛造部品を多数個取りによって生産性よく造ることができる。
【００１２】
【発明の効果】
この発明によれば、成形精度が高く多数個取りが可能なスクリュープレス機用のダイセットが得られる。
【００１３】
また、この発明によれば成形精度が高く多数個取りが可能な生産性の良いスクリュープレス機用の金型が得られる。
【図面の簡単な説明】
【図１】実施の形態のダイセットを示す正面図である。
【図２】実施の形態のダイセットの固定ダイホルダについての主要部の断面図である。
【図３】実施の形態のダイセットの固定ダイホルダについてＴ型駒の下降状態を示す断面図である。
【図４】実施の形態のダイセットの固定ダイホルダについてＴ型駒の上動状態を示す断面図である。
【図５】実施の形態の金型の下型を示す平面図である。
【図６】実施の形態の金型の上型を示す平面図である。
【符号の説明】
１：可動ダイホルダ
２：固定ダイホルダ
５：ブッシュ
６：ガイドピン
９：テーパ部
１０：上型
１１：下型
１７：ガイド孔
１８：ガイドピン
【図１】
2004122206.tif 000003
【図２】
2004122206.tif 000004
【図３】
2004122206.tif 000005
【図４】
2004122206.tif 000006
【図５】
2004122206.tif 000007
【図６】
2004122206.tif 000008